(57)【要約】  複雑なフレーム（１）を得るために複数のモジュールフレーム（１０）であって、実質的に平行六面体形状を有する、複数のモジュールフレーム（１０）を組立て、適切な外装パネルによって実装される壁及び床を備えることによって得られるタイプのモジュール式建築構造（１００）は、技術プラント及び同様なものを組合せるために利用され得る自由空間を残す仕上げを装備するモジュールの容易な組立てを可能にし、モジュール式建築構造（１００）は、複数の接続ノット（５）を備え、複数の接続ノット（５）は、同じ平面上で、下側または上側で、前記角において、隣接するモジュールフレーム（１０）を接合する、または、平坦地階に対するまたは屋根構造に対するモジュールフレーム（１０）の接続を提供し、各ノット（５）は、２つずつ向き合う６つの壁によって形成された中空の直方体のように形作られた内部コア（６）を有するボックスに似た構造を有し、各壁は、直交軸に従って開口したそれぞれのチャネルを形成するような開口（７）を有し、各開口（７）において、ノット（５）は、対応する支持板（９）であって、２つずつ、互いに平行であるまたは直交する、対応する支持板（９）を備え、１つまたは複数の隣接する支持板（９）によって画定される平面を超えて延在する各支持板（９）は、それぞれの載置部（１１，１２）を画定する。【選択図】図５
2019507254.tif 000002
【特許請求の範囲】
【請求項１】
複雑なフレーム（１）を得るために複数のモジュールフレーム（１０）を組立て、適切な外装パネルによって実装される壁及び床を備えることによって得られるタイプのモジュール式建築構造（１００）であって、前記モジュールフレーム（１０）は、実質的に平行六面体に似た形状を有し、前記モジュールフレーム（１０）は、それぞれの角度で接合する縦梁（２）、垂直梁（３）、及び横梁（４）によって識別され、前記角度で、隣接するモジュールフレーム（１０）を接合する、または、平坦地階に対するまたは屋根構造に対する前記モジュールフレーム（１０）の接続を可能する複数の接続ノット（５）を備える、モジュール式建築構造（１００）であって、各ノット（５）は、２つずつ向き合う６つの壁によって形成された中空の平行六面体のように形作られた内部コア（６）を有するボックスに似た構造を有し、各壁は、直交軸に従って開口したそれぞれのチャネルを形成するような開口（７）を有し、各開口（７）において、前記ノット（５）は、対応する支持板（９）であって、２つずつ、互いに平行であるまたは直交する、対応する支持板（９）を備え、１つまたは複数の隣接する支持板（９）によって画定される平面を超えて延在する各支持板（９）は、それぞれの載置部（１１，１２）を画定することを特徴とする、前記モジュール式建築構造（１００）。
【請求項２】
前記モジュールフレーム（１０）は、長方形面を有する直方体の形状を有し、前記モジュールフレーム（１０）が、通常ルートによって輸送され得るコンテナの標準的な形状内に入ることを可能にするサイズを有する、請求項１に記載のモジュール式建築構造（１００）。
【請求項３】
前記内部コア（６）は、立方体形状を有する直方体のように形作られる、請求項１に記載のモジュール式建築構造（１００）。
【請求項４】
前記開口（７）は円である、請求項１に記載のモジュール式建築構造（１００）。
【請求項５】
前記内部コア（６）は、一体成形で構築される、請求項１に記載のモジュール式建築構造（１００）。
【請求項６】
前記コア（６）の角度において、前記支持板（９）は、前記２つの隣接する板を超えて延在する、また、その逆も同様であり、前記支持板（９）は、３つの支持板（９）によって形成される角載置部（１１）を形成し、３つの載置壁を有する角空間を形成する、請求項１に記載のモジュール式建築構造（１００）。
【請求項７】
前記コア（６）の縁において、一対の支持板（９）は、２つのＬのように位置決めされた板端によって形成された載置部（１２）を形成することによって、一方の支持板が他の支持板を超えるように延在する、請求項１に記載のモジュール式建築構造（１００）。
【請求項８】
各載置部において、前記支持板（９）は、前記モジュールフレーム（１０）と締結するためのそれぞれのボルティング（１４）によって係合され易い複数の貫通穴（１３）を備える、請求項１に記載のモジュール式建築構造（１００）。
【請求項９】
前記隣接する支持板（９）のいずれの支持板も交差しない支持板（９）は、地階または屋根構造に接続され得る載置平面（１５）を形成する、請求項１に記載のモジュール式建築構造（１００）。
【請求項１０】
モジュールフレーム（１０）を構成する前記梁（２，３，４）は、Ｌに似た断面を有し、内部角は、前記モジュールフレーム（１０）の内部空間の方に向く、請求項１に記載のモジュール式建築構造（１００）。
【請求項１１】
前記載置部（１１，１２）は、互いに接続された２つまたは３つの壁によって形成されたボックスに似たタイプのそれぞれの接続要素（１６）を備え、前記接続要素（１６）は、前記それぞれの載置部（１１，１２）と接触する、請求項７および１０に記載のモジュール式建築構造（１００）。
【請求項１２】
モジュールフレーム（１０）の縦サイズは、前記モジュールフレーム（１０）の有限数Ｎの交差サイズの合計にＮ−１のノット（５）の交差サイズを足した値に等しい、特に、単一縦サイズは、横に配置された２つのモジュールフレーム（１０）の交差サイズに１つの中間ノット（５）の交差サイズを足した値に等しい、請求項１に記載のモジュール式建築構造（１００）。
【請求項１３】
前記複雑なフレーム（１）の外部かつ骨組み要素表面において、前記ノット（５）によって予め配置された載置部（１１，１２）は、外方に向く前記開口（７）を閉鎖するための、それぞれのストッパに似た要素（１８）、及び、１つのノットから別のノットまで延在し、外装パネル（２０）を支持するのに有用である骨組み要素（１９）を受取る、請求項１に記載のモジュール式建築構造（１００）。
【発明の詳細な説明】
【技術分野】
【０００１】
本発明は、複雑なフレームを得るために複数のモジュールフレームを組立てることによって、適切な外装パネルによって実装される壁及び床を備えることによって得られるタイプのモジュール式建築構造に関する。
【背景技術】
【０００２】
特に、本発明において、先に述べたモジュールフレームは、実質的に平行六面体に似た形状を有し、特別な輸送デバイスの使用を要求することなく、標準サイズを有する通常のコンテナとして輸送されるのに適し、パネル及び予め組立て済みのアクセサリを備えている。モジュールフレームは、それぞれの角度で接合する縦梁、垂直梁、及び横梁によって識別される。
【０００３】
仏国特許出願公開第２６７５５２７号明細書は、輸送できる予め作製済みのハウジングに関し、予備成形済み開口を装備する壁によって得られる一連の環境は、幾つかの建築要素の六角形プランを利用することによって組立てられ得る；組立ては、木材で作られ得る単一壁を互いにボルト締めすることによって行われる。
【０００４】
英国特許出願公開第２４４７２８９号明細書は、コンテナによって実質的に構成されたハウジングモジュールを互いに組立てるためのシステムに関する。システムは、それぞれのコンテナに締結されるコネクタ要素及びコネクタ要素を相互接続する貫通プラグによって構成される：貫通プラグは、組立てられると、コンテナを互いに予め決めた距離に維持し、開口を示す；貫通プラグは、２つの軸上で組立てられたコネクタ要素を接合するＴに似たまたはダブルＴに似た梁を装備し得る。
【０００５】
英国特許出願公開第２４５１０９２号明細書は、平行六面体のようなコンテナの形状を実質的に有する予め作製済みのモジュールのユニット構造に関する；それぞれの長い縁上で、各モジュールは、隣接するモジュールの対応する梁に結合する特定の形状を有する梁を有し、これらの梁は、機械的タイプの迅速締結のためのシステム、例えば、ベルクロ（登録商標）を組込むが、前記締結システムを迅速に結合するためにモジュールが重なって摺動することを可能にする更に摺動トラックを組込む。
【０００６】
米国特許第８７０１３７１号明細書は、予め作製済み要素を使用することによって多層建築物を実装するための方法を記載し、その方法は、軸受壁及び梁で構成される構造の位置決めに従ったコンクリート打ち、その後、外装の位置決めを提供する。
【０００７】
米国特許第９１１５５０４号明細書は、コンテナのように形作られたハウジングモジュールを組立てるための方法であって、それにより、モジュール間の特定の機械的組立てによって複雑な建築物を得る、組立てるための方法を記載する。
【０００８】
米国特許出願公開第２０１５／１５２６３４号明細書は、複雑な建築物を得るためにハウジングモジュールを組立てるための別の方法を記載し、その方法において、単一モジュールは、下部モジュールまたはベース基礎を有する離間要素を構成する一連のＣに似た梁で構成されるベースを有する。
【０００９】
米国特許出願公開第２００４／１０３５９６号明細書は、代わりに、別のモジュール式システムを記載し、そのシステムでは、各モジュールの床は、長方形フレーム及び複数の横断梁を備える。
【００１０】
複雑なモジュール式構造の他の例は、米国特許出願公開第２００９／３０７９９４号明細書、第２０１１／０１１０１８号明細書、第２０１１／０４７８８９号明細書、第２０１３／３０５６２９号明細書、ならびに、国際公開第２０１４／１７６７１０号及び第２０１５／１１５９９０号に記載される。
【００１１】
特開平０９−３２８８１８号公報は、壁及び床用の外装パネルを有するモジュール式フレームの手段によって構築される建築物のモジュール式構造を記載し、その構造において、モジュール式フレームは、ノットによって形成されるそれぞれの角度に接続された横梁、縦梁、及び垂直梁を有する平行六面体のような形状を有する。
【００１２】
他の構造の例は、特開２００９−２０９５５１号公報及び特開２００９−２２８３６９号公報に、韓国登録特許第１０−１３６３７３９号公報に、また、欧州特許出願公開第０３８９２１４号明細書に記載される。
【００１３】
しかし、先に述べたモジュール式構造の例は、場合によっては、その構造に対する複雑なフレームの組立てを必要とし、その後、建築物の全ての他の部分：壁、階段、フロアプラント等が、特別な人員及び時間の多大な使用を必要とする作業によって、予め構築済みのフレームを埋めることによって付加されなければならない、または、こうした構造を臨時のタイプの使用にだけ適するようにさせることによって、予め構築済みのモジュールであって、その機能が、通常の構築作業で要求される機能と異なる、予め構築済みのモジュールを組立てることを必要とする場合がある。
【００１４】
更に、述べた第２の場合において、予め構築済みモジュールは、その輸送を難しくするサイズを有し、そのことが、次に、関連する困難さを伴う特別な手段の使用を必要とする。ただし、建築物の最終組立てによって達成されるニーズが非常に減少し、また、そのニーズが、ボックスに似た構造を、１つの構造を他の構造の上に重ねて単にオーバラップさせることによって解決され得るときを除く。
【００１５】
本発明の基礎にある技術的問題は、知られている技術を参照して述べた欠点を回避することを可能にするモジュール式建築構造を提供することにある。
【先行技術文献】
【特許文献】
【００１６】
【特許文献１】仏国特許出願公開第２６７５５２７号明細書
【特許文献２】英国特許出願公開第２４４７２８９号明細書
【特許文献３】英国特許出願公開第２４５１０９２号明細書
【特許文献４】米国特許第８７０１３７１号明細書
【特許文献５】米国特許第９１１５５０４号明細書
【特許文献６】米国特許出願公開第２０１５／１５２６３４号明細書
【特許文献７】米国特許出願公開第２００４／１０３５９６号明細書
【特許文献８】米国特許出願公開第２００９／３０７９９４号明細書
【特許文献９】米国特許出願公開第２０１１／０１１０１８号明細書
【特許文献１０】米国特許出願公開第２０１１／０４７８８９号明細書
【特許文献１１】米国特許出願公開第２０１３／３０５６２９号明細書
【特許文献１２】国際公開第２０１４／１７６７１０号
【特許文献１３】国際公開第２０１５／１１５９９０号
【特許文献１４】特開平０９−３２８８１８号公報
【特許文献１５】特開２００９−２０９５５１号公報
【特許文献１６】特開２００９−２２８３６９号公報
【特許文献１７】韓国登録特許第１０−１３６３７３９号公報
【特許文献１８】欧州特許出願公開第０３８９２１４号明細書
【発明の概要】
【発明が解決しようとする課題】
【００１７】
解決策の考えは、上述した２つのタイプの組立てられる建築物の最良の態様を、単一解決策であって、通常の輸送手段上に積まれ得る標準的なコンテナのサイズに入るような、容易に輸送されるモジュールを用いる、単一解決策で建築物を一体化することによって、採用することである。
【課題を解決するための手段】
【００１８】
こうした問題は、上述した建築構造によって解決され、建築構造は、複数の接続ノットを備え、複数の接続ノットは、同じ平面上で、下側または上側で、前記角度において、隣接するモジュールフレームを接合する、または、平坦地階に対するまたは屋根構造に対するモジュールフレームの接続を可能し、各ノットは、２つずつ向き合う６つの壁によって形成された中空の直方体のように形作られた内部コアを有するボックスに似た構造を有し、各壁は、直交軸に従って開口したそれぞれのチャネルを形成するような開口を有し、各開口において、ノットは、対応する支持板であって、２つずつ、互いに平行であるまたは直交する、対応する支持板を備え、１つまたは複数の隣接する支持板によって画定される平面を超えて延在する各支持板は、それぞれの載置部を画定することを特徴とする。
【００１９】
本発明による建築構造の主要な利点は、技術的プラント及び同様なものを設置するために利用され得る自由空間を残すために、仕上げ部を装備するモジュールの容易な組立てを可能にすることにある。
【００２０】
本発明は、開示される図面を参照して、制限するためではなく例として提供されるその好ましい実施形態の例に従って以降で述べられる。
【図面の簡単な説明】
【００２１】
【図１】本発明による構造の幾つかのモジュールフレームを組立てることによって得られる複雑な構造の軸測図であり、述べる寸法は、制限値ではなく、純粋に指示値を示す。
【図２】モジュールフレームを接続するための組立て用ノットの軸測図である。
【図２Ａ】図２の断面図である。
【図３】本発明による構造における複雑なフレームのノットにおける異なる組立て形状のうちの１つの形状を詳細に示す部分断面の軸測図である。
【図４】本発明による構造における複雑なフレームのノットにおける異なる組立て形状のうちの１つの形状を詳細に示す部分断面の軸測図である。
【図５】本発明による構造における複雑なフレームのノットにおける異なる組立て形状のうちの１つの形状を詳細に示す部分断面の軸測図である。
【図６】本発明による構造における複雑なフレームのノットにおける異なる組立て形状のうちの１つの形状を詳細に示す部分断面の軸測図である。
【図７】本発明による構造によって得られ得る複雑な建築物の図である。
【図８】本発明による構造によって得られ得る複雑な建築物の図である。
【発明を実施するための形態】
【００２２】
図を参照することによって、モジュール式建築構造の複雑なフレームは１で指定される；複雑なフレームは、或る数のモジュールフレームによって構成され、モジュールフレームは、実質的に平行六面体に似た形状を有し、縦梁２、垂直梁３、及び横梁４によって識別される。
【００２３】
平行六面体の下で、一般に、長方形面を有する直方体が意味される。
【００２４】
述べるバージョンにおいて、１０で指定された各モジュールフレームは、コンテナの形状内にモジュールフレームが入ることを可能にするサイズを有し、コンテナは、組立てサイトから生産サイトまでコンテナを移動させるために特別な輸送手段を必要とすることなく、連結式車両のプラットフォーム上にロードされた場合、通常のルートによって輸送され得る。建築モジュール５０は、その後、各モジュールフレームに対応することになり、建築モジュールは、関連する外装、フロア（天井、床）、内部構造、電気及び水サービス等を備え、建築モジュールは、異なるサイズを有する複雑な建築物１００（図７及び８）を組立てるのに有用である可能性がある。
【００２５】
そして、各モジュールフレーム１０は、縦梁、垂直梁、及び横梁が接合する角度を有する。こうした角度において、複雑なフレーム１は、複数の接続ノット５を備え、複数の接続ノット５は、同じ水平または垂直平面で、段違い平面上の下側または上側で、横方向に隣接するモジュールフレーム１０を接合する、または、適切に配置された平坦地階に対するまたは示さない屋根構造に対するモジュールフレーム１０の接続を可能にする。
【００２６】
隣接するモジュールフレーム１０の場合、モジュールフレーム１０は、縦壁、垂直壁、上部壁、または下部壁に向く可能性があり、そうでなければ、段違い平面上のフレームの場合、モジュールフレーム１０は、同じタイプの２つの梁であって、一方の梁が他の梁の上に向く、２つの梁を有する縁部を共通に有することになる。
【００２７】
したがって、各ノット５の形状は、ノットの位置に応じて変化し、特に、各ノット５は、１から８まで変動する或る番号のモジュールフレームと地階の相互接続を実現することが可能であるべきである。
【００２８】
しかし、各ノットは、全ての形状に共通の特徴を有し、その特徴は、各ノットを識別し、以降で詳述される。
【００２９】
特に、ノット５は、２つずつ向き合う６つの壁によって形成された中空の直方体
のように形作られた内部コア６を有するボックスに似た構造を有する。各壁は、リング８によって境界付けられた円開口７を有する。
【００３０】
好ましくは、コア６は、立方体形状を有する。壁の面上の開口７は、直交軸Ｘ、Ｙ、及びＺに従って開口したそれぞれのチャネルを形成する。こうしたチャネルは開口し、コア内部部分は、チャネルを通してまたは１つのチャネルから他のチャネルまで通過するための空間を提供する。
【００３１】
コアは、好ましくは、一体成形でかつ適切な厚さを持って、適切な材料、例えば鋼で作られて、任意の設計応力に対する必要とされる抵抗を有する可能性がある。
【００３２】
各開口７において、コア６は、対応する支持板９であって、全部で６つの支持板について、２つずつ、互いに平行であるまたは直交する、対応する支持板９を備え； 特に、他の板の前に１つの板がある開口７の板９は互いに平行であり、隣接する板に関する開口７の板９は互いに直交する。
【００３３】
更に、支持板は、コア６との一体成形による場合、適した材料で、または、複数のピースの溶接によって作られる可能性がある。
【００３４】
各支持板９は、隣接する板９によって画定される平面を超えて延在する場合、モジュールフレーム角１０用の角度または側部載置部を画定する。
【００３５】
図２を参照することによって、コア６の各角において、板９は、２つの隣接する板を超えて延在する、また、その逆も同様であり、そして、前記角のうちの各角において、ノット５は、３つの支持板９によって形成される角載置部１１を有し、３つの載置壁を有する角空間を形成する。
【００３６】
図４を参照することによって、コア６の縁において、２つの支持板９は、２つのＬのように位置決めされた板端によって形成された側部載置部１２を形成することによって、一方の支持板が他の支持板を超えるように延在する、また、その逆も同様である。
【００３７】
それによって形成される各載置部において、支持板９が、モジュールフレーム１０と締結するためのそれぞれのボルティング１４によって係合され易い複数の貫通穴１３を備えることが留意される。
【００３８】
支持板９が、隣接する板のいずれの板とも交差しない場合、板９は、地階または屋根に接続され得る載置平面１５を形成する（図６）。
【００３９】
そして、ノット５の形状は、隣接するモジュールフレーム１０を接続するだけでなく、フレームを互いから離間させることも可能にする。これは、２つの実質的に組合された効果を決定する：
１．モジュールフレームを組立てることによって得られる複雑なフレームの全体サイズは、単一モジュールフレームのサイズの合計より大きいことになる、また、
２．各モジュールフレーム間の距離は、各ノット５における先に述べたチャネルの存在と共に、電気プラント、天然水（給水本管からの水、白濁水、廃水、加熱水、冷却水）プラント、空調プラント、サービス管、アラームプラント等を全体にわって容易に配置することを可能にする可能性がある。
【００４０】
前記効果の第１の効果は、予め組立て済みの各モジュール５０が、単純な方法で、通常のコンテナとして輸送されることを可能にし、その後、建築物であって、その全体のサイズが、普通なら、通常の輸送システムに適合しないことになる、建築物を得ることを可能にする。
【００４１】
これに関して、先に述べた角載置部は、各モジュールフレーム１０の角度を支えるのに有用であることになる。各角度は、互いに接続された２つまたは３つの壁によって形成される、ボックスに似たタイプの接続要素１６を含むことになり、接続要素１６は、それぞれの載置部と接触状態にある。接続要素１６は、フレームモジュール１０の梁２、３、４を互いに接合するのに有用であることになる。
【００４２】
有利には、これらの梁は、Ｌに似た断面を有し、内部角は、モジュールフレーム１０の内部空間の方に向く。こうして、梁は、組立て済み建築物の内部の床または間仕切りを形成することになるパネル１７の縁部、または、隣接するパネル間の接続要素を受取るのに有用である可能性がある。
【００４３】
Ｌに似た梁ならびに接続要素１６は、適切な材料、例えば、折り曲げ鋼板または鍛造鋼板で作られる、または、溶接によって得られる可能性がある。
【００４４】
モジュールフレーム１０に関してノット５を組立てることによって得られる上述した構造は、既存のルールに従う地震動に対する適切な抵抗を得ることを更に可能にする。
【００４５】
各モジュールフレーム１０は、その構造を補強するための要素を含む可能性がある。特に、梁２、３、４の断面は、ボックスに似たタイプである可能性がある；梁は、垂直面上に配置された垂直ストラットか、角ブレース組立体か、更なる対角梁か、または更に任意の面上の横カレントによって接続される可能性がある。
【００４６】
各モジュール５０が、モジュールごとに繰返すフレームによって形成されるが、非常に異なる形状をとる可能性があることが留意される。特に、各モジュール５０は、外装を含む可能性があり、外装は、気候上の関心エリアか、内部間仕切りか、更に広いサイズを有する窓または予め組立て済みの窓を有する壁か、あるいは、最後に、幾つかのモジュール上に延在する、ユニークな環境を生成するための空いた空間に適合する可能性がある。
【００４７】
有利には、フレームモジュールの縦サイズは、Ｎ−１のノットの有限数Ｎの交差サイズの合計に等しい可能性がある；通常、縦サイズは、横に配置された２つのモジュールフレームに中間ノットを足したサイズに等しい可能性がある。
【００４８】
これは、同じ複雑なフレーム内でその配向を変更することによって、したがって、異なるモジュールを組立てるときに更に大きな自由度を得ることによって、異なるモジュールフレームを組立てることを可能にする。
【００４９】
更に、モジュールフレームは、モジュールを、任意の形状を作成するレンガであるかのように使用することによって、テラスまたはモジュールによって囲まれる広い内部空間等を得るために配置される可能性がある。
【００５０】
複雑なフレーム１の外部表面において、ノット５によって予め配置された載置部は、外方に向く開口７を閉鎖するための、それぞれのストッパに似た要素１８、及び、１つのノットから他のノットまで延在し、外装パネル２０を支持するのに有用である骨組み要素１９を受取る可能性がある。
【００５１】
こうして、同じ外壁上で、こうして得られる各枠組みは、異なる構成を得るために異なる外装を提供する可能性がある。
【００５２】
先に述べたストッパに似た要素及び枠組み要素が、パネル２０と共に、建築物の外部表面を閉鎖し、しかし更に、モジュールフレーム１０の間の中間空間に空気が入ることを防止するシールであって、熱及び音響絶縁体としてまた更に耐火のために働く、シールを実装するタスクを有することが留意される。
【００５３】
こうしたシールは、ストッパに似た要素及び枠組み要素の縁部に配置された自己拡張型ベルト及びガスケットによって実装され得る。
【００５４】
上述したコンポーネントは、耐火特徴、耐膨張特徴を持つように、また、腐食から保護されるように処理されることになる。
【００５５】
上述したことに対して、当業者は、更なるまた付随するニーズを満たすために、幾つかの更なる修正及び変形を導入する可能性があり、しかし、それら全ては、包含される特許請求の範囲によって規定される、本発明の保護範囲内にある。
【図１】
2019507254.tif 000003
【図２】
2019507254.tif 000004
【図２Ａ】
2019507254.tif 000005
【図３】
2019507254.tif 000006
【図４】
2019507254.tif 000007
【図５】
2019507254.tif 000008
【図６】
2019507254.tif 000009
【図７】
2019507254.tif 000010
【図８】
2019507254.tif 000011
【国際調査報告】
2019507254.tif 000012
2019507254.tif 000013
2019507254.tif 000014